(57)【特許請求の範囲】
【請求項１】
支持杆と、
前記支持杆の上部に取り付けられ、前記支持杆の側方において前記支持杆を囲む環状部が設けられた支持体と、
前記環状部の周方向に沿って前記環状部に配置された光源部を有し、前記環状部の下方に環状の照明領域を形成する照明部と、
前記支持体に配置され、前記支持杆が延びる軸線に沿う方向から見て前記支持杆を囲む環状の操作部を有する電源スイッチと、
を備え、
前記照明部は、
前記軸線に沿う方向から見て環状であって前記支持杆の周りを周回するように配置されておりかつ照明光を透過する、照明カバーを備える、
照明装置。
【請求項２】
前記照明カバーは、
前記軸線を中心として、前記支持体の下面の外縁部から外側に向かって斜め上方に傾斜する錐台の側面の形状を有する、
請求項１に記載の照明装置。
【請求項３】
請求項１または２に記載の照明装置と、
前記照明装置の前記支持杆が固定された什器部と、
を備える、照明装置付き什器。
【発明の詳細な説明】
【技術分野】
【０００１】
本発明は、照明装置および照明装置付き什器に関する。
【背景技術】
【０００２】
オフィスや公共施設、家庭等の室内空間においては、空間内の照度を確保し、用途や使用者の嗜好に合わせた空間を提供するため、照明装置が用いられている。
こうした照明装置の例としては、床面上に自立可能なベース体を有し、ベース体の上部に光の照射部が設けられた自立式照明装置である照明スタンドが挙げられる（例えば、特許文献１、２参照）。
このような自立式照明装置は、例えば、天井に埋め込まれた照明装置に比べて配線工事等の設置工事が不要または容易になるため、多く用いられている。
このような自立式照明装置は、例えば、作業用天板を有する什器上で使用する照明装置としても用いられている。
【先行技術文献】
【特許文献】
【０００３】
【特許文献１】実公昭４６−６７７９号公報
【特許文献２】実公昭４６−１１５８９号公報
【発明の概要】
【発明が解決しようとする課題】
【０００４】
しかしながら、従来の照明装置においては、以下のような問題がある。
特許文献１、２に記載の自立式照明装置の照射部は、硬質の基端側支持柱の上部から延ばされた湾曲可能な先端側支持柱の先端部によって支持されている。使用者は、先端側支持柱の湾曲方向を変えることによって、照射部からの照明光の照射方向を変更することによって、作業等に必要な照明領域を形成する。
このため、自立式照明装置の照明領域はあまり広範囲にすることができないという問題がある。
照射部の照射範囲を拡げることによって照明領域を広げることも考えられるが、この場合、照明領域内に支持柱が入るため、いずれかの方向の照明領域に支持柱の影が映ってしまう。支持柱の影が映る領域では作業等が行いにくくなるとともに、照明の美的効果も損なわれてしまう。
自立式照明装置を広範囲の照明用途に用いる場合、照明領域内の種々の場所において、複数の使用者が作業等を行うことが多くなる。この場合、従来の自立式照明装置では、ベース体の特定箇所に電源スイッチが設けられているため、使用者の作業位置によって、照明装置の電源スイッチへのアクセスしやすさが変わってくるという問題がある。例えば、支持柱を挟んで電源スイッチの反対側にいる使用者は、支持柱の反対側に赴いて電源スイッチを操作する必要があるため、電源スイッチの操作性が悪くなる。
【０００５】
本発明は、支持杆を囲む広範囲の領域を良好に照明することができるとともに電源スイッチの操作性を向上することができる照明装置および照明装置付き什器を提供することを目的とする。
【課題を解決するための手段】
【０００６】
本発明は、上記の課題を解決するため、以下の手段を採用する。
本発明の照明装置は、支持杆と、前記支持杆の上部に取り付けられ、前記支持杆の側方において前記支持杆を囲む環状部が設けられた支持体と、前記環状部の周方向に沿って前記環状部に配置された光源部を有し、前記環状部の下方に環状の照明領域を形成する照明部と、前記支持体に配置され、前記支持杆が延びる軸線に沿う方向から見て前記支持杆を囲む環状の操作部を有する電源スイッチと、を備え、前記照明部は、前記軸線に沿う方向から見て環状であって前記支持杆の周りを周回するように配置されておりかつ照明光を透過する、照明カバーを備える。
【０００７】
このように構成することで、支持杆の上部に取り付けられた支持体に、支持杆を囲むように配置された照明部からの照明光によって、支持杆を囲む下方領域が広範囲に照明される。これにより、支持杆の影が照明領域に現れにくくなる。さらに、電源スイッチが、支持杆の軸線に沿う方向から見て支持杆を囲む環状の操作部を有するため、使用者が支持杆を中心とする複数の方向から電源スイッチを容易に操作することができる。
また、照明カバーを透過する照明光が、支持杆の周りを周回する方向に照射されるため、支持杆の周りの領域を効率的に照明することができる。
【０００８】
本明細書では、「環状」は、一重の閉ループを描く形状を指すために用いられる。このため、「環状」は、円環には限定されない。環状の形状を特に特定する必要がある場合には、「円環状」、「角環状」などが適宜用いられる。
【００１１】
上記照明装置においては、前記照明カバーは、前記軸線を中心として、前記支持体の下面の外縁部から、外側に向かって斜め上方に傾斜する錐台の側面の形状を有してもよい。
このように構成することで、照明カバーを通した照明光が、支持杆を中心として、斜め下方に向かって放射状に照射されるため、支持杆の周りの領域をさらに効率的に照明することができる。
【００１３】
本発明の照明装置付き什器は、上記照明装置と、前記照明装置の前記支持杆が固定された什器部と、を備える。
このように構成することで、上述の作用を備える上記照明装置の支持杆が什器部上に固定されるため、什器部上が常に良好に照明される。
【発明の効果】
【００１５】
本発明の照明装置および照明装置付き什器によれば、支持杆を囲む広範囲の領域を良好に照明することができるとともに電源スイッチの操作性を向上することが可能となる。
【図面の簡単な説明】
【００１６】
【図１】本発明の第１の実施形態の照明装置付き什器の構成例を示す模式的な斜視図である。
【図２】本発明の第１の実施形態の照明装置を下方側から見た模式的な斜視図である。
【図３】本発明の第１の実施形態の照明装置を上方側から見た模式的な斜視図である。
【図４】図１におけるＡ−Ａ断面図である。
【図５】本発明の第１の実施形態の照明装置の上カバーの模式的な分解斜視図である。
【図６】本発明の第１の実施形態の照明装置の支持体の模式的な平面図である。
【図７】図６におけるＢ−Ｂ断面図である。
【図８】本発明の第１の実施形態の照明装置の支持体の模式的な下面図である。
【図９】本発明の第１の実施形態の照明装置の電源スイッチの操作部の模式的な平面図およびそのＣ−Ｃ断面図である。
【図１０】本発明の第１の実施形態の照明装置の支持体の内部構成を示す模式的な下面図である。
【図１１】本発明の第１の実施形態の照明装置の支持体の模式的な平面図およびそのＤ−Ｄ断面図である。
【図１２】本発明の第１の実施形態の照明装置の電装ユニットの機能ブロック図である。
【図１３】本発明の第１の実施形態の照明装置の照明カバーの固定構造を示す模式的な断面図である。
【図１４】本発明の第１の実施形態の変形例（第１変形例、第２変形例）の照明装置を示す模式的な斜視図である。
【図１５】本発明の第１の実施形態の変形例（第３変形例、第４変形例）の照明装置を示す模式的な下面図である。
【図１６】本発明の第１の実施形態の変形例（第５変形例、第６変形例）の照明装置を示す模式的な下面図である。
【図１７】本発明の第１の実施形態の変形例（第７変形例）の照明装置を示す模式的な下面図である。
【図１８】本発明の第２の実施形態の照明装置の構成例を示す模式的な斜視図である。
【発明を実施するための形態】
【００１７】
以下では、本発明の実施形態について添付図面を参照して説明する。すべての図面において、実施形態が異なる場合であっても、同一または相当する部材には同一の符号を付し、共通する説明は省略する。
【００１８】
［第１の実施形態］
本発明の第１の実施形態の照明装置および照明装置付き什器について説明する。
図１は、本発明の第１の実施形態の照明装置付き什器の構成例を示す模式的な斜視図である。
【００１９】
図１に示すように、本実施形態のデスク装置システム１００（照明装置付き什器）は、デスク装置２０（什器部）と、本実施形態の照明装置１とを備える。
【００２０】
デスク装置２０は、例えば、作業などを行うため水平に配置された天板部２０ａと、天板部２０ａを下方から支持する脚部２０ｂとを備える。
天板部２０ａの平面視形状は特に限定されない。図１に示す天板部２０ａの平面視形状は、一例として、一方向に長い矩形状である。
【００２１】
照明装置１は、天板部２０ａ上に配置され、天板部２０ａ上を照明する。照明装置１は、天板部２０ａの形状あるいは面積に応じて、必要な部位を照明できるように適宜数を、適宜の位置に配置することができる。図１に示すデスク装置システム１００では、一例として、照明装置１が天板部２０ａの長手方向に離間して２つ配置されている。
各照明装置１の構成は互いに共通である。
【００２２】
照明装置１は、天板部２０ａに立設された支柱２１（支持杆）と、支柱２１の上端部に取り付けられた照明装置本体２２とを備える。
支柱２１は、中空のパイプからなる。支柱２１の下端部は、天板部２０ａの固定位置に設けられた孔部に挿通され、天板部２０ａの下面側で図示略の固定部材によって固定されている。天板部２０ａの上方に突出された支柱２１は、鉛直軸に沿って延びている。このため、支柱２１の上端部における中心軸線Ｏは鉛直軸に平行である。
支柱２１の内部には、照明装置本体２２から延出される図示略の配線が上端側から下端側に挿通されている。
支柱２１の断面形状は、多角形状でもよいが、本実施形態では、一例として、円形である。
図示略の配線は、支柱２１の下端部から延出され、図示略の天板部２０ａの下面に配回され、例えば、テーブルタップなどを介して交流電源からなる外部電源（図示略。以下も同様）に接続されている。
【００２３】
支柱２１の材料としては、支柱２１に必要な強度が得られれば特に限定されない。例えば、支柱２１の材料としては、適宜の金属、プラスチック、あるいは、金属とプラスチック材料との複合材料などが用いられてもよい。
【００２４】
照明装置１の詳細構成について説明する。
図２は、本発明の第１の実施形態の照明装置を下方側から見た模式的な斜視図である。図３は、本発明の第１の実施形態の照明装置を上方側から見た模式的な斜視図である。図４は、図１におけるＡ−Ａ断面図である。図５は、本発明の第１の実施形態の照明装置の上カバーの模式的な分解斜視図である。
【００２５】
図２、図３に示すように、照明装置本体２２は、上カバー７、蓋部８（図３参照）、ベース２（支持体）、および照明カバー４（照明部）によって外周が囲まれている。ベース２の下面には、タッチスイッチ操作部５（環状の操作部）が配置されている。
照明装置本体２２の平面視の外形は、略正方形である。照明装置本体２２の平面視の四隅の角部はＲ形状に丸められている。
図４に示すように、照明装置本体２２の内部には、支持部材３（支持体）、光源部６（照明部）、および電装ユニット１１（電源スイッチ）が配置されている。
本実施形態において、ベース２および支持部材３の組立体は、照明装置１における支持杆の上部に取り付けられた支持体を構成している。光源部６と照明カバー４とは、支持杆を囲むように支持体に配置された照明部を構成している。
【００２６】
上カバー７および蓋部８は、後述する照明部から照明光の上方への漏れを抑制する遮光性を有するカバーである。
図３に示すように、上カバー７の外形は、照明装置本体２２の上部の外形を覆う略正方形状である。図４に示すように、上カバー７は、平面視の外縁部から中心部に向かうにつれて上方に緩やかに傾斜し、最上部で水平に延びる四角錐台状の立体形状に形成されている。
上カバー７の中心部には、平面視略正方形状の蓋部８が上方から着脱可能に嵌め込まれている。
【００２７】
図４，図５に示すように、上カバー７の中心部には、蓋部８の外形に沿う段部７ｂが形成されている。段部７ｂの下端には、段部７ｂの内周部から内側に向けて固定縁部７ａが突出されている。図４に一部を示すように、段部７ｂには、適宜の箇所に、蓋部８を係止する係止孔７ｅが形成されている。
固定縁部７ａには、後述する支持部材３の固定用台座部３ｊに対応する位置に、ねじ止めするためのねじ挿通孔（図示略）が貫通している。
図５に示すように、固定縁部７ａの内側には、上カバー７の厚さ方向に貫通する平面視略正方形状の開口部７ｃが形成されている。
【００２８】
図４、図５に示すように、蓋部８は、上カバー７の段部７ｂに嵌合可能かつ固定縁部７ａ上に全周で載置可能な平面視略正方形状の板状部材である。蓋部８の側面８ａには、上カバー７の段部７ｂに形成された係止孔７ｅ（図５参照）と対応する位置に、係止突起８ｂが突出されている。
蓋部８は、係止突起８ｂと上カバー７の係止孔７ｅとの位置を合わせて、上方から段部７ｂに挿入することによって、上カバー７に着脱可能に係止される。
【００２９】
上カバー７および蓋部８は、例えば、遮光性を有する色材などによって着色されたプラスチック材料を成形することによって製造できる。
【００３０】
図４、図６〜図８を参照して、ベース２の形状について説明する。
図６は、本発明の第１の実施形態の照明装置の支持体の模式的な平面図である。図７は、図６におけるＢ−Ｂ断面図である。図８は、本発明の第１の実施形態の照明装置の支持体の模式的な下面図である。
【００３１】
図６に示すように、ベース２の最外の側面２ｐの平面視形状は、一例として、正方形の四隅が丸められた略正方形状である。
ベース２の中心部には、支柱２１の上端部が下方から挿入される筒状部２ｂが上方に突出されている。筒状部２ｂの中心軸線Ｃは、ベース２の外形の中心に位置する。
筒状部２ｂの外側には、外縁部まで板状部２ａが延びている。
【００３２】
図７に示すように、筒状部２ｂの内周面２ｋは、支柱２１の上端部が嵌合可能な円筒面からなる。図７において二点鎖線で示すように、内周面２ｋに支柱２１が嵌合すると、支柱２１の中心軸線Ｏは、中心軸線Ｃと同軸になる。
筒状部２ｂの上端部には、径方向内側に延びる板状の係止部２ｃが形成されている。
係止部２ｃの下面は、支柱２１の上端が下方から係止可能である。係止部２ｃの内縁部は、平面視円形の開口部を構成している。係止部２ｃの内側に形成されるこの開口部は、支柱２１内に挿通される図示略の配線が挿通可能な大きさを備える。
筒状部２ｂの側面には、固定ねじ９を挿通するねじ挿通孔２ｊが貫通されている。
図４に示すように、ねじ挿通孔２ｊは、支柱２１の先端を板状部２ａに突き当てた状態で、支柱２１の雌ねじ部２１ｄに臨むことができる位置に形成されている。
図６に示すように、筒状部２ｂの外周部には、図示略の配線を案内する一対のガイドリブ２ｅが筒状部２ｂの下端部から上端部まで延びている。
【００３３】
ここで、内周面２ｋに嵌合される支柱２１の上端部の構成について、図４を参照して説明する。
支柱２１の上端部の内部には、例えば、図示略の配線を固定するコードストッパ１０などのクランプ部材が配置されている。図示略の配線は、コードストッパ１０に挿通されて支柱２１の上端開口およびベース２の係止部２ｃの内側の開口部を通して、上方に延出されている。図示略の配線は、ガイドリブ２ｅなどに案内されて照明装置本体２２の内部に配回される。
支柱２１の側面には、照明装置本体２２と支柱２１とを固定する固定ねじ９を螺合するための雌ねじ部２１ｄが貫通して設けられている。
【００３４】
ここで、ベース２の板状部２ａの説明に戻る。図７に示すように、板状部２ａの主要部は、筒状部２ｂの突出方向（図７の縦方向）に直交する方向に延びる平板である。ただし、板状部２ａにおいて、筒状部２ｂに下端部と接する内縁部、および側面２ｐの近傍において下方側にわずかに湾曲している。このため、ベース２の下面には、内周面２ｋが開口する中心部と側面２ｐまでの間に、凹状部が形成されている。
【００３５】
図７、図８に示すように、板状部２ａの平板状部分の下面には、後述するタッチスイッチ操作部５を取り付ける操作部取付溝２ｍが形成されている。操作部取付溝２ｍの形状は、後述するタッチスイッチ操作部５を嵌め込む形状であればよい。本実施形態では、操作部取付溝２ｍは、側面２ｐに沿って延びる略正方形の環状溝である。操作部取付溝２ｍの中心は、内周面２ｋの中心と一致している。
操作部取付溝２ｍの内部には、複数の貫通孔２ｆと、端子挿通孔２ｎとが操作部取付溝２ｍの溝底の厚さ方向に貫通して形成されている。
貫通孔２ｆは、後述するタッチスイッチ操作部５を位置決めするとともに、照明装置本体２２の内部に露出させる矩形状の開口を有する穴部である。
端子挿通孔２ｎは、後述するタッチスイッチ操作部５の接続端子５ｅを挿通するための円孔である。
本実施形態では、操作部取付溝２ｍの近傍における板状部２ａの下面に、タッチスイッチ操作部５が配置されていることを示すマークＭが刻設されている。
【００３６】
図６、図７に示すように、板状部２ａの上面の外縁部には、後述する照明カバー４を上方から係止する係止面２ｈが全周にわたって形成されている。
板状部２ａの平板状部分において、平面視の各角部の近くには、後述する照明カバー４を固定するための固定用台座部２ｇが立設されている。各固定用台座部２ｇの中心部には、照明カバー４をねじ止めするためのねじ穴２ｉが形成されている。ねじ穴２ｉは、タッピンねじ用の円孔でもよいし、雌ねじ金具がインサートされていてもよい。
【００３７】
照明カバー４は、後述する光源部６を覆って、光源部６から放射される照明光を外部に透光する外装部材である。
図２に示すように、照明カバー４は、ベース２の下面を構成する板状部２ａの外縁部から外側に向かって斜め上方に傾斜する四角錐台の側面の形状の側面４ａを有する。このため、照明カバー４は、中心軸線Ｏに沿う方向から見ると、支柱２１の周りを周回するように配置されている。照明カバー４は、全体としては、角皿の底部を打ち抜いたような筒状の形状に形成されている。このような筒状の形状では、下端側の開口から上端側の開口に向かって、筒内の断面積が漸次拡大している。
照明カバー４は、照明装置１に必要な透光性が得られる適宜のプラスチック材料あるいはガラス材料などを成形することで製造できる。
照明カバー４は、例えば、無色透明であってもよいし、白色を含む適宜色に着色されていてもよい。照明カバー４は、照明光を拡散する光拡散板で構成されてもよい。照明カバー４が光拡散板であると、照明光から光源の形状が視認できなくなる。また、複数の光源が配置される場合に均一性の高い照明光が得られる。
【００３８】
図４に示すように、照明カバー４の上端部には、照明カバー４の外縁部と対向する位置に、係合突起４ｄが突出している。照明装置本体２２において、係合突起４ｄ、上カバー７の外縁部に沿って形成された係合凹部７ｄと係合している。これにより、照明カバー４の上部の開口は、上カバー７によって上方から覆われるとともに閉止されている。
照明カバー４の下端部には、板状部２ａの側面２ｐに外嵌する内側面４ｂと、内側面４ｂの上端部から内側に延びる係止突起４ｃとが形成されている。
照明装置本体２２において、照明カバー４の係止突起４ｃは、内側面４ｂの内側に挿入されたベース２の板状部２ａの係止面２ｈに上方から係止している。これにより、照明カバー４の下部の開口は、ベース２の板状部２ａによって下方か覆われるとともに閉止されている。
【００３９】
断面上に含まれないため図４には図示されていないが、後述するように、照明カバー４の内側面４ｂによって形成された開口の隅部には、照明カバー４をベース２に固定するための固定用突片４ｅ（図１３参照）が内側に向かって突出している。
【００４０】
タッチスイッチ操作部５は、後述する電装ユニット１１とともに、照明装置１の電源スイッチを構成する。本実施形態の電源スイッチは、静電容量式のタッチスイッチからなる。タッチスイッチ操作部５は、静電容量の変化を検出するための検出電極である。
図４に示すように、タッチスイッチ操作部５は、ベース２の操作部取付溝２ｍに下方から取り付けられている。
タッチスイッチ操作部５の材質は、検出電極として機能する導電部を有していれば、特に限定されない。本実施形態では、一例として、タッチスイッチ操作部５として、プラスチックの成形品の表面に金属メッキが施された複合材料が用いられている。金属メッキとしては、例えば、無電解ニッケルメッキが用いられてもよい。
【００４１】
図９（ａ）、（ｂ）に、タッチスイッチ操作部５の単品の形状を示す。
図９（ａ）は、本発明の第１の実施形態の照明装置の電源スイッチの操作部の模式的な平面図である。図９（ｂ）は、図９（ａ）におけるＣ−Ｃ断面図である。
【００４２】
図９（ａ）、（ｂ）に示すように、タッチスイッチ操作部５は、操作部取付溝２ｍに嵌合する環状の操作部本体５ａを有する。操作部本体５ａの上面５ｂ上には、係合爪５ｄと、接続端子５ｅとが、上方に突出している。
【００４３】
係合爪５ｄは、ベース２の貫通孔２ｆを下方から挿入可能な凸片状である。係合爪５ｄの上端部には、ベース２の板状部２ａの上面と係合可能な爪部５ｆが操作部本体５ａの外方に向かって突出している。係合爪５ｄは、各貫通孔２ｆの配置に対応する位置に、貫通孔２ｆと同じ個数だけ形成されている。
このため、各係合爪５ｄを、各貫通孔２ｆに下方から挿入すると、タッチスイッチ操作部５の上面５ｂが操作部取付溝２ｍの溝底と当接する位置で、係合爪５ｄの爪部５ｆが板状部２ａの上面に係合する（図４参照）。
【００４４】
接続端子５ｅは、タッチスイッチ操作部５の導電部に、図示略の配線を接続するために用いられる。本実施形態では、一例として、円筒状の突起で構成されている。
【００４５】
次に、照明装置本体２２の内部の詳細構成について、図４、図１０〜図１３を参照して説明する。
図１０は、本発明の第１の実施形態の照明装置の支持体の内部構成を示す模式的な下面図である。図１１（ａ）は、本発明の第１の実施形態の照明装置の支持体の模式的な平面図である。図１１（ｂ）は、図１１（ａ）におけるＤ−Ｄ断面図である。図１２は、本発明の第１の実施形態の照明装置の照明カバーの固定構造を示す模式的な断面図である。図１２は、本発明の第１の実施形態の照明装置の電装ユニットの機能ブロック図である。図１３は、本発明の第１の実施形態の照明装置の照明カバーの固定構造を示す模式的な断面図である。
【００４６】
図４に示すように、支持部材３は、支持体として、後述する光源部６および電装ユニット１１が固定される部材である。支持部材３は、照明カバー４と、ベース２の板状部２ａとを上方から覆うように配置される。支持部材３は、板状部２ａの上面においてベース２と固定されている。支持部材３は、上カバー７を固定するための固定部としても用いられている。
【００４７】
支持部材３は、底板部３ｂと、側壁部３ｄと、外周平板部３ａとを備える。
底板部３ｂは、支持部材３の中心部に形成され、ベース２の板状部２ａの上面と当接する平板状の部位である。底板部３ｂの外縁部は、照明装置本体２２内の照明カバー４の係止突起４ｃの先端部の近くまで延びている。
側壁部３ｄは、底板部３ｂの外縁部から上方に延びている。照明装置本体２２において、側壁部３ｄの上端部は、ベース２に係止された照明カバー４の上端部と略同じ高さである。
外周平板部３ａは、側壁部３ｄの上端部から照明カバー４と上カバー７との係合部に向かって水平に延びている。
【００４８】
このような構成により、照明装置本体２２の内部において、照明カバー４の側面４ａの上方には、側壁部３ｄ、および外周平板部３ａで囲まれた断面三角形状の空間が形成されている。側壁部３ｄの外周面および外周平板部３ａの下面の少なくとも一方は、光反射面が形成されていてもよい。
外周平板部３ａの下面には、側壁部３ｄ寄りの部位に、照明光を下方に照射する光源部６が固定されている。
光源部６としては、照明用に用いられる光源であれば、どのような光源が用いられてもよい。本実施形態では、一例として、抵抗発光体に比べると消費電力が少ないＬＥＤ光源が用いられている。
【００４９】
底板部３ｂの中心部には、ベース２の筒状部２ｂが挿通する貫通孔３ｃが厚さ方向に貫通している。
貫通孔３ｃと図示左側の側壁部３ｄとの間の底板部３ｂには、電装ユニット収容部３Ａが形成されている。
電装ユニット収容部３Ａは、底板部３ｂから上方に向かって陥没する凹部からなる。電装ユニット収容部３Ａは、支持部材３がベース２に固定される前に、下方側から後述する電装ユニット１１を挿入できる穴形状を有する。
電装ユニット収容部３Ａの内側天面には、電装ユニット１１を固定する固定用台座部３ｉが下方に向けて突出している。
【００５０】
図１０には、支持部材３の下面の構成が示されている。支持部材３は、貫通孔３ｃの中心Ｐを通る中心軸線Ｓに関して、略線対称な形状を有するため、図１０において、略対称となる部分の図示は省略されている。
以下では、中心軸線Ｓに関して、対称性を有しない部位に関しては、その都度説明する。支持部材３において、図１０に図示されない非対称の要素としては、例えば、固定用台座部３ｉ、端子挿通孔３ｍ、および光源部６の配置が挙げられる。
【００５１】
電装ユニット収容部３Ａは、平面視矩形状の凹部からなる。図１０では、固定用台座部３ｉが１箇所のみに形成されているが、固定用台座部３ｉは、後述する電装ユニット１１を安定して固定できる適宜個数が設けられる。本実施形態では、図示が省略された電装ユニット収容部３Ａ内の領域において、図示された固定用台座部３ｉと中心軸線Ｓに関して線対称な位置と、図示された固定用台座部３ｉに対する対角方向の位置とに、それぞれ形成されている。
【００５２】
底板部３ｂには、支持部材３をベース２に固定したときに、ベース２の貫通孔２ｆと対応する位置に、それぞれ貫通孔３ｅが形成されている。貫通孔３ｅは、貫通孔２ｆから上方に突出する係合爪５ｄとの干渉を避ける逃げ孔として形成されている（図４参照）。
端子挿通孔３ｍは、タッチスイッチ操作部５の接続端子５ｅを上方に挿通させる孔部である。このため端子挿通孔３ｍは、図１０における図示略の領域には形成されていない。
【００５３】
外周平板部３ａにおいて、側壁部３ｄの外側には、光源部６が、側壁部３ｄを囲んで配置されている。光源部６は、基板上にＬＥＤチップ６ａが複数配置されて構成される。光源部６は、図示略の１つを含めて、同形状のものが４つ配置されている。ただし、各光源部６は、中心Ｐに関して点対称をなして配置されている。
各光源部６上のＬＥＤチップ６ａは、側壁部３ｄの直線部分に平行な線上に、配置されている。
各光源部６上のＬＥＤチップ６ａは、図示略の配線を介して、後述する電装ユニット１１に電気的に接続されている。
【００５４】
ここで、電装ユニット収容部３Ａに収容される電装ユニット１１について説明する。
図１２に示すように、電装ユニット１１は、電源部２０１、タッチセンシング部２０２、およびスイッチ回路２０３を備える。
電源部２０１には、支柱２１の内部に挿通される図示略の配線が電気的に接続されている。電源部２０１は、この配線を通して外部電源から供給される交流電圧を照明装置１の動作に必要な直流電圧に変換し、照明装置１の各部に供給する。
電源部２０１と光源部６との電気的接続は、スイッチ回路２０３によってオン・オフすることが可能である。電源部２０１が外部電源に接続されると、電源部２０１は、タッチセンシング部２０２を動作させるための駆動電圧を常にタッチセンシング部２０２に印加する。
タッチセンシング部２０２は、タッチスイッチ操作部５を検出電極として、静電容量の変化を監視する。タッチセンシング部２０２は、操作者がタッチスイッチ操作部５に触れたことに相当する閾値以上の静電容量の変化を検出するたびに、電源部２０１のスイッチ回路２０３のオン・オフを切り替える。
【００５５】
次に、支持部材３の上面側の構成について説明する。
図１１（ａ）には、支持部材３の上面の構成が示されている。ただし、図１１（ａ）においては、図１０と同様、中心軸線Ｓに関して略対称となる部分の図示は省略されている。
側壁部３ｄの内周面には、底板部３ｂ上において側壁部３ｄの内周面よりも内側に突出する固定用台座部３ｆ、３ｊが形成されている。
【００５６】
固定用台座部３ｆは、照明カバー４をベース２との間に挟んで固定するために形成されている。固定用台座部３ｆは、底板部３ｂの対角線上において、側壁部３ｄが湾曲する４箇所の部位にそれぞれ形成されている。固定用台座部３ｆは、側壁部３ｄの内周面から平面視Ｕ字状に張り出している。
固定用台座部３ｆの上面部の底板部３ｂからの高さは、底板部３ｂから外周平板部３ａまで高さよりも低い。
図１０、図１１（ｂ）に示すように、固定用台座部３ｆの上面部の裏面側には、平面視Ｕ字状の凹所３ｎが形成されている。固定用台座部３ｆの上面部の裏面に相当する凹所３ｎの上面は、上カバー７の取付座面３ｇを構成している。
取付座面３ｇの中央部には、ねじ挿通孔３ｈが板厚方向に貫通している。
【００５７】
固定用台座部３ｊは、上カバー７を上方からねじ止めするために形成されている。
図１１（ａ）に示すように、固定用台座部３ｊは、平面視で直線状に延びる各側壁部３ｄの中間部分に、それぞれ１箇所ずつ、合計４箇所に形成されている。固定用台座部３ｊは、側壁部３ｄの内周面から平面視Ｕ字状に張り出している。
固定用台座部３ｊの上面は、外周平板部３ａの上面と整列している。
固定用台座部３ｊの平面視の中心部には、上面側から下方に向かって延びるねじ穴３ｋが延びている。ねじ穴３ｋは、タッピンねじ用の円孔でもよいし、雌ねじ金具がインサートされていてもよい。
【００５８】
このような構成の照明装置１は、以下のようにして組み立てられる。
まず、支持部材３の電装ユニット収容部３Ａに電装ユニット１１がねじ止めされる。ベース２には、予めタッチスイッチ操作部５が装着される。
この後、支持部材３がベース２の板状部２ａの上面側に固定される。このとき、図１３に示すように、予め、ベース２上には、側面２ｐに内側面４ｂが外嵌した照明カバー４が装着された状態で、支持部材３が固定される。
照明カバー４の内側面４ｂがベース２の側面２ｐに外嵌し、係止突起４ｃが係止面２ｈに係止された状態（図４参照）では、図１３に示すように、照明カバー４の固定用突片４ｅが、ベース２の固定用台座部２ｇの上面に係止している。
このとき、支持部材３の底板部３ｂは板状部２ａの上面に当接している。さらに支持部材３の取付座面３ｇは、固定用突片４ｅの上面に当接している。固定用突片４ｅには、ベース２のねじ穴２ｉに対応する位置にねじ挿通孔４ｆが貫通されている。ねじ挿通孔３ｈ、４ｆ、およびねじ穴２ｉは、同軸上に整列している。
この状態で、各ねじ挿通孔３ｈ、４ｆに、ねじ１３が挿入され、ねじ１３によって、照明カバー４および支持部材３がベース２に共締めされる。
以上で、ベース２、照明カバー４、および支持部材３が互いに固定される。
図示略の配線によって、電装ユニット１１と底板部３ｂ上に露出した接続端子５ｅとが電気的に接続される。
【００５９】
次に、照明カバー４の係合突起４ｄと、上カバー７の係合凹部７ｄとが係合するように、上カバー７が配置される。このとき、図４に示すように、上カバー７の固定縁部７ａが、支持部材３の固定用台座部３ｊの上面に係止される。固定縁部７ａのねじ挿通孔を通して、ねじ１２が挿入され、ねじ１２がねじ穴３ｋに螺合される。これにより、上カバー７が支持部材３に固定される。
上カバー７の開口部７ｃに蓋部８が上方から装着されると、照明装置１が組み立てられる。
【００６０】
このような照明装置１をデスク装置２０に立設された支柱２１と固定するには、まず、蓋部８が取り外された状態で、ベース２の筒状部２ｂの内周面２ｋに、支柱２１の上端部が挿入される。このとき、支柱２１の内部に挿通される配線は、支柱２１の上部の開口およびベース２の係止部２ｃの内側の開口部を通して、底板部３ｂ上に引き出される。
引き出された配線は、適宜のコネクタを介して、電装ユニット１１に電気的に接続される。
支柱２１の雌ねじ部２１ｄと、筒状部２ｂのねじ挿通孔２ｊとの位置を合わせた状態で、固定ねじ９がねじ挿通孔２ｊに挿入されて、固定ねじ９が雌ねじ２１ｄに螺合される。これにより、ベース２が支柱２１と固定される。
この後、蓋部８が上カバー７に装着される。これにより、照明装置本体２２が支柱２１の上端部に固定された照明装置１が組み立てられる。
【００６１】
照明装置１および照明装置１を備えるデスク装置システム１００の作用について説明する。
照明装置１の点灯、消灯の操作は、操作者が、タッチスイッチ操作部５に触れることによって行われる。操作者が、タッチスイッチ操作部５に触れると、電装ユニット１１のタッチセンシング部２０２が静電容量の変化を検知する。静電容量の変化が閾値以上になると、タッチセンシング部２０２は、スイッチ回路２０３のオン・オフ状態を切り替える。例えば、オフ状態であればオン状態に、オフ状態であればオン状態に切り替える。
スイッチ回路２０３がオン状態になると、光源部６に駆動電圧が印加され、光源部６が発光する。スイッチ回路２０３がオフ状態になると、光源部６に駆動電圧の印加が停止され、光源部６が消灯する。
【００６２】
照明装置１では、電源スイッチが静電容量式のタッチスイッチであるため、例えば、電源スイッチが、プッシュスイッチ、レバースイッチなどの場合に比べて、オン・オフ操作が容易となる。
さらに、本実施形態では、タッチスイッチ操作部５が、支柱２１を囲む環状に形成されている。このため、操作者は、ベース２の下面に沿って支柱２１に向かうすべての方向から、タッチスイッチ操作部５に触れる（タッチする）ことができる。すなわち、操作者が、支柱２１周りのどの方角にいても、支柱２１に向かって手を伸ばすだけで、タッチスイッチ操作部５にアクセスできるため、容易かつ迅速な操作が可能になる。
これに対して、例えば、タッチスイッチ操作部が周方向の一部の一箇所に配置されている構成であると、支柱２１を挟んでタッチスイッチ操作部と対向する位置からでは、支柱２１に阻まれて操作することはできなくなる。このため、操作を行うために、操作者がある程度移動する必要があるためアクセス性が悪くなり、操作に手間がかかり、作業などが妨げられてしまうことになる。
【００６３】
光源部６が発光すると、光源部６から照明光が下方に照射される。照明光は、光源部６の下方の照明カバー４を通して、外部に照射される。このとき、支持部材３の外周平板部３ａ、側壁部３ｄは、照明カバー４の側面４ａの上方側を囲んでいる。この結果、光源部６からの光は外周平板部３ａの上側および側壁部３ｄの内側に漏れないため、照明光が、効率的に照明カバー４を透過する。側壁部３ｄの外周面および外周平板部３ａの下面の少なくとも一方に光反射面が形成されている場合には光利用効率が向上する。
【００６４】
図４に示すように、照明カバー４の側面４ａは、ベース２の外縁部から、斜め上方に傾斜している。側面４ａを透過した照明光は、支柱２１を中心とする環状領域に沿って進み、天板部２０ａ上を照明する。すなわち、支柱２１を囲むベース２からは照明光が照射されないため、支柱２１の上端部において、強度の強い照明光が支柱２１を横切ることがないため、照明領域において支柱２１の影が発生しにくくなる。
特に、側面４ａが光拡散機能を有している場合には、側面４ａが二次光源面として機能するため、照明光は、全体としては矢印Ｌで示すように各側面４ａの法線方向に沿う斜め下方に向かって放射状に照射される。
【００６５】
側面４ａから出射された照明光は、次第に発散して、支柱２１を中心とする環状の領域に拡がって、天板部２０ａ上の照明領域に達する。照明光の発散度合いによって、天板部２０ａ上には、支柱２１を中心とする環状の照明領域、または、支柱２１を中心し、支柱２１を含む範囲に拡がる照明領域が形成される。いずれの場合も、照明領域の形状は、本実施形態では、照明領域が支柱２１を中心とする回転対称（本実施形態では４回回転対称）の領域になる。
照明領域が環状の場合、照明光は、支柱２１に当たらないため、支柱２１の影が照明領域に現れることはない。
照明領域に支柱２１が含まれる場合、照明領域の近傍では、照明光が支柱２１を横切る。しかし、本実施形態では、照明領域が支柱２１を中心とする回転対称の領域であるため、影の強度は、相殺されて弱まる。
【００６６】
このような照明装置１を備えるデスク装置システム１００によれば、照明装置１を備えるため、照明装置１と同様の作用を備える。
特に、デスク装置システム１００では、天板部２０ａ上で、複数の箇所で複数の使用者がいる場合に、それぞれの作業領域を照明する照明光に、支柱２１の影が現れにくいため、複数の箇所で、互いに支障なく作業を行うことができる。
さらに、照明装置１を囲むとの作業位置であっても、タッチスイッチ操作部５に容易に触れることができるため、照明装置１のオン・オフ操作が容易となる。
【００６７】
以上説明したように、本実施形態の照明装置１およびデスク装置システム１００によれば、支持杆を囲む広範囲の領域を良好に照明することができるとともに電源スイッチの操作性を向上することが可能となる。
【００６８】
［第１変形例］
上記第１の実施形態の第１変形例の照明装置について説明する。
図１４（ａ）は、本発明の第１の実施形態の変形例（第１変形例）の照明装置を示す模式的な斜視図である。
【００６９】
図１４（ａ）に示すように、本変形例の照明装置１Ａは、上記第１の実施形態の照明装置１の照明カバー４、上カバー７に代えて、照明カバー４Ａ（照明部）、上カバー７Ａを備える。
照明装置１Ａは、デスク装置システム１００において、照明装置１に代えて用いることができる。
以下、上記第１の実施形態と異なる点を中心に説明する。
【００７０】
照明カバー４Ａは、支柱２１の中心軸線Ｏを中心とする円筒面状のカバー側面４０ａと、図示略のベース２の外縁部に外嵌し、下方にカバー側面４０ａの内側を下方から覆うカバー底面４０ｂとを備える。
照明カバー４Ａの材質は、上記第１の実施形態の照明カバー４と同様である。
上カバー７Ａは、カバー側面４０ａの上部開口を覆う平面視円形の外装部材である。特に図示しないが、上カバー７Ａの中心部には、蓋部８と同様の蓋部が設けられている。
【００７１】
本変形例は、照明カバーの形状が、円筒状の場合の例になっている。
本変形例では、照明カバー４Ａが円筒状であることに対応して、光源部６のＬＥＤチップ６ａが支柱２１を中心とする円環状に配列されてもよい。
本変形例の照明装置１Ａでは、照明カバー４Ａが円筒状であることに対応して、ベース２の外形を円形とする変形がさらに施されてもよい。本変形例の照明装置１Ａでは、カバー側面４０ａの外径によっては、カバー底面４０ｂを削除して、外径が円形とされたベース２の外縁部にカバー側面４０ａの下端部を嵌合させる変形がさらに施されてもよい。
【００７２】
本変形例の照明装置１Ａは、照明カバー４Ａの形状が異なることで、カバー側面４０ａから側方に向かう照明光が増える点以外は、照明装置１と同様に動作する。
このため、照明装置１Ａは、カバー側面４０ａを通して、支柱２１を中心とする径方向外側に照射される照明光が増える以外は、上記第１の実施形態の照明装置１と同様な作用を有する。
【００７３】
［第２変形例］
上記第１の実施形態の第２変形例の照明装置について説明する。
図１４（ｂ）は、本発明の第１の実施形態の変形例（第２変形例）の照明装置を示す模式的な斜視図である。
【００７４】
図１４（ｂ）に示すように、本変形例の照明装置１Ｂは、上記第１の実施形態の照明装置１の照明カバー４、上カバー７に代えて、照明カバー４Ｂ（照明部）、上記第１変形例と同様の上カバー７Ａを備える。
照明装置１Ｂは、デスク装置システム１００において、照明装置１に代えて用いることができる。
以下、上記第１の実施形態と異なる点を中心に説明する。
【００７５】
照明カバー４Ｂは、支柱２１の中心軸線Ｏを中心とし、下端部から上端部に向かうにつれて拡径する円錐台の側面からなるカバー側面４１ａと、図示略のベース２の外縁部に外嵌し、下方にカバー側面４１ａの内側を下方から覆うカバー底面４１ｂとを備える。
照明カバー４Ｂの材質は、上記第１の実施形態の照明カバー４と同様である。
【００７６】
本変形例は、照明カバーの形状が、円錐台状の場合の例になっている。
本変形例では、照明カバー４Ｂが円錐台状であることに対応して、光源部６のＬＥＤチップ６ａが支柱２１を中心とする円環状に配列されてもよい。
本変形例の照明装置１Ｂでは、照明カバー４Ｂが円錐台状であることに対応して、ベース２の外形を円形とする変形がさらに施されてもよい。
本変形例の照明装置１Ｂでは、カバー底面４１ｂを削除して、外径が円形とされたベース２の外縁部にカバー側面４１ａの下端部を嵌合させる変形がさらに施されてもよい。
【００７７】
本変形例の照明装置１Ｂは、照明カバー４Ｂの形状が異なることで、カバー側面４０ａから支柱２１を中心として斜め下方に放射状に照明光が照射される点以外は、照明装置１と同様に動作する。
このため、照明装置１Ｂは、照射領域を円環状または円形状にする場合に特に好適となる。照明装置１Ｂは、それ以外は、上記第１の実施形態の照明装置１と同様な作用を有する。
【００７８】
［第３変形例］
上記第１の実施形態の第３変形例の照明装置について説明する。
図１５（ａ）は、本発明の第１の実施形態の変形例（第３変形例）の照明装置を示す模式的な斜視図である。
【００７９】
図１５（ａ）に示すように、本変形例の照明装置１Ｃは、上記第１の実施形態の照明装置１のタッチスイッチ操作部５、ベース２に代えて、タッチスイッチ操作部５Ｃ（環状の操作部、電源スイッチ）、ベース２Ｃ（支持体）を備える。
照明装置１Ｃは、デスク装置システム１００において、照明装置１に代えて用いることができる。
以下、上記第１の実施形態と異なる点を中心に説明する。
【００８０】
タッチスイッチ操作部５Ｃは、平面視形状が、円環状である点を除いて、上記第１の実施形態のタッチスイッチ操作部５と同様に構成されている。
ベース２Ｃは、上記第１の実施形態のベース２の操作部取付溝２ｍがタッチスイッチ操作部５Ｃが取り付け可能な円環状の操作部取付溝に変更された点のみが、ベース２と異なる。タッチスイッチ操作部５Ｃの中心は、上記第１の実施形態のタッチスイッチ操作部５の中心と同様、支柱２１の中心軸線Ｏ上に位置している。
【００８１】
本変形例の照明装置１Ｃによれば、タッチスイッチ操作部５Ｃが、中心軸線Ｏを中心とする円環状に形成されているため、操作者は、支柱２１から等距離の位置にタッチスイッチ操作部５Ｃが位置していることが分かる。このため、使用者は、支柱２１に向かう各方向からタッチスイッチ操作部５Ｃにタッチできることに加えて、タッチスイッチ操作部５Ｃの位置が予測しやすいことによってもより容易にオン・オフ操作を行うことができる。
本変形例のタッチスイッチ操作部５Ｃは、上記第１変形例および第２変形例のタッチスイッチ操作部として用いられてもよい。
【００８２】
［第４変形例］
上記第１の実施形態の第４変形例の照明装置について説明する。
図１５（ｂ）は、本発明の第１の実施形態の変形例（第４変形例）の照明装置を示す模式的な斜視図である。
【００８３】
図１５（ｂ）に示すように、本変形例の照明装置１Ｄは、上記第３変形例の照明装置１Ｃのタッチスイッチ操作部５Ｃ、ベース２Ｃに代えて、タッチスイッチ操作部５Ｄ（環状の領域に配置された操作部、電源スイッチ）、ベース２Ｄ（支持体）を備える。
照明装置１Ｄは、デスク装置システム１００において、照明装置１に代えて用いることができる。
以下、上記第３変形例と異なる点を中心に説明する。
【００８４】
タッチスイッチ操作部５Ｄは、上記第３変形例のタッチスイッチ操作部５Ｃを、周方向において複数に分割した円弧状の形状を有する。
各タッチスイッチ操作部５Ｄは、タッチスイッチ操作部５が配置されたのと同様の円環状の領域に、等間隔をあけて配置されている。図１５（ｂ）には、タッチスイッチ操作部５Ｄが４つ配置された場合の例が描かれているが、タッチスイッチ操作部５Ｄの個数は、４つには限定されない。
各タッチスイッチ操作部５Ｄは、それぞれ、図示略の配線を介して、図示略の電装ユニット１１に電気的に接続されている。
【００８５】
ベース２Ｄは、上記第３変形例におけるベース２Ｃの操作部取付溝がタッチスイッチ操作部５Ｄをそれぞれ取り付け可能な円弧状の操作部取付溝に変更された点のみが、ベース２Ｃと異なる。各タッチスイッチ操作部５Ｄの曲率中心は、上記第３変形例のタッチスイッチ操作部５Ｃの中心と同様、支柱２１の中心軸線Ｏ上に位置している。
【００８６】
本変形例の照明装置１Ｄによれば、各タッチスイッチ操作部５Ｄが、円環状の領域において周方向に不連続に配置されている点が、上記第３変形例と異なる。
デスク装置２０での天板部２０ａで作業している操作者は、天板部２０ａの上方に位置するタッチスイッチ操作部５Ｄが見えるため、誤ってタッチスイッチ操作部５Ｄの周方向の隙間にタッチする可能性は少ない。このため、タッチスイッチ操作部５Ｄの周方向の隙間があっても、上記第１の実施形態と同様に、容易にオン・オフ操作が行える。
万一、操作者が、タッチスイッチ操作部５Ｄの周方向の隙間にタッチすると、オン・オフ操作が行えないが、その場合でも手を周方向に移動すればいずれかのタッチスイッチ操作部５Ｄに確実にタッチできる。このため、一回のタッチでオン・オフ操作が行えなかった場合でも、操作者の手を周方向に移動するか、複数本の手でタッチすることで、同様なオン・オフ操作が行える。
ただし、タッチスイッチ操作部５Ｄの周方向の間隔が、操作者の手によって確実にタッチし得る程度に狭められている場合には、上記第３変形例とまったく同様にして容易にオン・オフ操作が行える。
【００８７】
［第５変形例、第６変形例］
上記第１の実施形態の第５変形例、第６変形例の照明装置について説明する。
第５変形例、第６変形例は、いずれも上記第１の実施形態のタッチスイッチ操作部５を周方向に分割した場合の例になっている。
図１６（ａ）、（ｂ）は、本発明の第１の実施形態の変形例（第５変形例、第６変形例）の照明装置を示す模式的な斜視図である。
【００８８】
図１６（ａ）に示すように、第５変形例の照明装置１Ｅは、上記第１の実施形態の照明装置１のタッチスイッチ操作部５、ベース２に代えて、タッチスイッチ操作部５Ｅ（環状の領域に配置された操作部、電源スイッチ）、ベース２Ｅ（支持体）を備える。
照明装置１Ｅは、デスク装置システム１００において、照明装置１に代えて用いることができる。
以下、上記第１の実施形態と異なる点を中心に説明する。
【００８９】
タッチスイッチ操作部５Ｅの平面視の形状は、直線状である。タッチスイッチ操作部５
Ｅは、上記第１の実施形態における角環状のタッチスイッチ操作部５の角部が除去されたのと同様、４本が中心軸線Ｏを中心とする正方形枠状をなして配置されている。
各タッチスイッチ操作部５Ｅは、それぞれ、図示略の配線を介して、図示略の電装ユニット１１に電気的に接続されている。
【００９０】
ベース２Ｅは、上記第１の実施形態におけるベース２の操作部取付溝２ｍが、各タッチスイッチ操作部５Ｅをそれぞれ取り付け可能な直線状の操作部取付溝に変更された点のみが、ベース２と異なる。各タッチスイッチ操作部５Ｅと中心軸線Ｏとの距離は、いずれも互いに等しい。
【００９１】
図１６（ｂ）に示すように、第６変形例の照明装置１Ｆは、上記第５変形例におけるタッチスイッチ操作部５Ｅ、ベース２Ｅに代えて、タッチスイッチ操作部５Ｆ（環状の領域に配置された操作部、電源スイッチ）、ベース２Ｆ（支持体）を備える。
照明装置１Ｆは、デスク装置システム１００において、照明装置１に代えて用いることができる。
以下、上記第５変形例と異なる点を中心に説明する。
【００９２】
タッチスイッチ操作部５Ｆは、タッチスイッチ操作部５Ｅと同様の正方形枠状に配置されているが、平面視形状が直線状の第１操作部５Ｆａと、平面視形状がＬ字状の第２操作部５Ｆｂとの組み合わせになっている点が上記第５変形例と異なる。これにより、上記第５変形例では、正方形枠の角部が離間しているのに対して、本変形例では、角部には第２操作部５Ｆｂが配置されている。
ベース２Ｆは、操作部取付溝の形状が、タッチスイッチ操作部５Ｆに合わせて変更されている点のみが、ベース２Ｅと異なる。
【００９３】
第５変形例、第６変形例によれば、角環状にタッチスイッチ操作部５Ｅ、５Ｆが配置されており、周方向の一部において、タッチスイッチ操作部５Ｅ、５Ｆの間隔が空いている点のみが、上記第１の実施形態と異なる。したがって、上記第４変形例で説明したように、タッチスイッチ操作部５Ｅ、５Ｆの隙間にタッチした場合には、周方向に手をずらす等する必要がある点を除いて、上記第１の実施形態と同様の作用を有する。
ただし、タッチスイッチ操作部５Ｅ、５Ｆの周方向の間隔が、操作者の手によって確実にタッチし得る程度に狭められている場合には、上記第１の実施形態とまったく同様にして容易にオン・オフ操作が行える。
【００９４】
［第７変形例］
上記第１の実施形態の第７変形例の照明装置について説明する。
図１７は、本発明の第１の実施形態の変形例（第７変形例）の照明装置を示す模式的な斜視図である。
【００９５】
図１７に示すように、本変形例の照明装置１Ｇは、上記第１の実施形態の照明装置１のタッチスイッチ操作部５、照明装置本体２２に代えて、タッチスイッチ操作部５Ｇ（環状の操作部、電源スイッチ）、照明装置本体２２Ｇを備える。
照明装置１Ｇは、デスク装置システム１００において、照明装置１に代えて用いることができる。
以下、上記第１の実施形態と異なる点を中心に説明する。
【００９６】
タッチスイッチ操作部５Ｇは、後述する照明装置本体２２Ｇの外周側の側面に設けられた角環状に形成されている。タッチスイッチ操作部５Ｇは、図示略の配線を通して、照明装置本体２２Ｇの内部の図示略の電装ユニット１１に電気的に接続されている。
【００９７】
照明装置本体２２Ｇは、外周側の側面にタッチスイッチ操作部５Ｇが固定されている以外は、上記第１の実施形態の照明装置本体２２と同様である。
照明装置本体２２Ｇは、照明装置本体２２のベース２、上カバー７に代えてベース２Ｇ（支持体）、上カバー７Ｇを備える。
ベース２Ｇは、上記第１の実施形態のベース２から、操作部取付溝２ｍ等のタッチスイッチ操作部５を取り付ける構造が削除された以外は、ベース２と同様である。
上カバー７Ｇは、側面において、タッチスイッチ操作部５Ｇが取り付け可能な構造が設けられた以外は、上記第１の実施形態における上カバー７と同様である。
上カバー７Ｇにおける、タッチスイッチ操作部５Ｇの取付構造は、上記第１の実施形態と同様の操作部取付溝２ｍ等を外周の側面に設けた構造でもよいし、タッチスイッチ操作部５Ｇを、照明カバー４の外縁部と、上カバー７Ｇと挟持する構造でもよい。
【００９８】
本変形例の照明装置１Ｇによれば、タッチスイッチ操作部５Ｇに操作者がタッチすることで、照明装置１Ｇの点灯、消灯が行われる。
その際、タッチスイッチ操作部５Ｇが、照明装置本体２２Ｇの外周側の側面において環状に配置されているため、操作者は、照明装置本体２２Ｇの外周側から支柱２１に向かうすべての方向から、タッチスイッチ操作部５Ｇに触れることができる。このため、容易かつ迅速な操作が可能になる。
特に、本変形例では、照明装置本体２２Ｇの最外周部となる上カバー７Ｇの側面にタッチスイッチ操作部５Ｇが配置されているため、操作者がより迅速にタッチスイッチ操作部５Ｇにタッチすることができる。
【００９９】
［第２の実施形態］
次に、本発明の第２の実施形態の照明装置について説明する。
図１８は、本発明の第２の実施形態の照明装置の構成例を示す模式的な斜視図である。
【０１００】
図１８に示すように、本実施形態の照明スタンド１０１（照明装置）は、上記第１の実施形態の照明装置１が支持台３０上に立設された支柱３１（支持杆）の上端部に固定されて構成されている。
以下、上記第１の実施形態と異なる点を中心に説明する。
【０１０１】
支持台３０の構成は、照明装置１を自立させることができれば、特に限定されない。図１８には、矩形板状の場合の例が記載されているが、円錐台状、角錐台状、三脚状、格子状などの適宜の形状が用いられてもよい。
支柱３１は、支持台３０に立設されており、長さが適宜必要な長さに調整されている以外は、上記第１の実施形態における支柱２１と同様に構成されている。
図示は省略するが、支柱３１または支持台３０からは、外部電源に接続する電源配線が必要に応じて延出されていてもよい。あるいは、支柱３１または支持台３０には、外部電源から配線を電気的に接続するコネクタが設けられていてもよい。
【０１０２】
本実施形態の照明スタンド１０１は、床面に直に配置されてもよいし、例えば、デスク装置などの適宜の什器の天板部、上部などに配置されてもよい。照明スタンド１０１の配置場所は固定されている必要はなく、必要に応じて移動されてもよい。
【０１０３】
照明スタンド１０１は、上記第１の実施形態と同様の照明装置１が、支柱２１と同様の支柱３１の上端部に固定されているため、上記第１の実施形態の照明装置１と同様の作用を備える。
このため、支持杆を囲む広範囲の領域を良好に照明することができるとともに電源スイッチの操作性を向上することが可能となる。
【０１０４】
なお、上記各実施形態および変形例の説明では、電源スイッチが静電容量式のタッチスイッチで構成される場合の例で説明した。しかし、電源スイッチは、支持杆の軸線に沿う方向から見て支持杆を囲むように配置できる電源スイッチであれば、静電容量式のタッチスイッチには限定されない。
例えば、電源スイッチとして、上記の各タッチスイッチ操作部と同様な形状の操作部を有するプッシュスイッチが用いられてもよい。
例えば、電源スイッチとして、操作を光学的に検出する光学センサ用いたスイッチが用いられてもよい。
【０１０５】
上記各実施形態および変形例の説明では、ベースの平面視形状が正方形状または円形状の場合の例で説明したが、ベースの平面視形状はこれらには限定されない。ベースの平面視形状は、例えば、正方形以外の矩形状であってもよいし、多角形状、楕円状、Ｌ字状などであってもよい。
【０１０６】
上記各実施形態および変形例の説明では、支持体が、ベースと支持部材とに分かれている場合の例で説明したが、支持体は、１部品で構成されてもよいし、３部品以上で構成されてもよい。
【０１０７】
上記各実施形態および変形例の説明では、照明部が光源部と照明カバーとを備え、光源部が照明カバーで覆われている場合の例で説明した。しかし、照明部は照明カバーが削除されてもよい。
例えば、照明部の構成として、例えば、面発光体で構成された光源部が上記各実施形態および変形例のような照明カバーと同様の形状に形成されていてもよい。例えば、光源部は、有機ＥＬ素子などの面発光体で構成され、この光源部が、照明カバー４の側面４ａと同様、支柱２１を囲むように配置された構成も可能である。
例えば、光源部は、支持体に固定された照明カバーの内部に埋め込まれていてもよい。
【０１０８】
上記各実施形態および変形例の説明では、照明カバーが桟などの枠体を用いずに配置された場合の例で説明したが、照明カバーは、桟などの枠体に嵌め込まれていてもよい。
照明カバーの代わりに、板状の発光体を配置する場合も同様である。
【０１０９】
以上、本発明の好ましい各実施形態および各変形例を説明したが、本発明はこれら各実施形態及び各変形例に限定されることはない。本発明の趣旨を逸脱しない範囲で、構成の付加、省略、置換、およびその他の変更が可能である。
また、本発明は前述した説明によって限定されることはなく、添付の特許請求の範囲によってのみ限定される。
【符号の説明】
【０１１０】
１、１Ａ、１Ｂ、１Ｃ、１Ｄ、１Ｅ、１Ｆ、１Ｇ  照明装置
２、２Ｃ、２Ｄ、２Ｅ、２Ｆ、２Ｇ  ベース（支持体）
２ａ  板状部
２ｂ  筒状部
３  支持部材（支持体）
３ａ  外周平板部
３ｂ  底板部
３ｄ  側壁部
４、４Ａ、４Ｂ  照明カバー
４ａ  側面
５、５Ｃ、５Ｇ  タッチスイッチ操作部（環状の操作部、電源スイッチ）
５Ｄ、５Ｅ、５Ｆ  タッチスイッチ操作部（環状の領域に配置された操作部、電源スイッチ）
５Ｆａ  第１操作部
５Ｆｂ  第２操作部
６  光源部（照明部）
６ａ  ＬＥＤチップ
７、７Ａ、７Ｇ  上カバー
８  蓋部
１１  電装ユニット（電源スイッチ）
２０  デスク装置（什器部）
２０ａ  天板部
２１、３１  支柱（支持杆）
２２、２２Ｇ  照明装置本体
３０  支持台
４０ａ、４１ａ  カバー側面
１００  デスク装置システム（照明装置付き什器）
１０１  照明スタンド（照明装置）
２０１  電源部
２０２  タッチセンシング部
２０３  スイッチ回路
Ｏ  中心軸線（支持杆が延びる軸線）
【図１】
0006714403.tif 000002
【図２】
0006714403.tif 000003
【図３】
0006714403.tif 000004
【図４】
0006714403.tif 000005
【図５】
0006714403.tif 000006
【図６】
0006714403.tif 000007
【図７】
0006714403.tif 000008
【図８】
0006714403.tif 000009
【図９】
0006714403.tif 000010
【図１０】
0006714403.tif 000011
【図１１】
0006714403.tif 000012
【図１２】
0006714403.tif 000013
【図１３】
0006714403.tif 000014
【図１４】
0006714403.tif 000015
【図１５】
0006714403.tif 000016
【図１６】
0006714403.tif 000017
【図１７】
0006714403.tif 000018
【図１８】
0006714403.tif 000019